【事件の表示】
　特願２００２−５８５２０３「加工処理装置内の枚葉紙案内胴のための被覆部材」拒絶査定不服審判事件〔平成１４年１１月　７日国際公開、ＷＯ０２／８７８８３、平成１６年　８月２６日国内公表、特表２００４−５２５８０５〕について、次のとおり審決する。
【結　論】
　本件審判の請求は、成り立たない。
【理　由】
第１　手続の経緯 
　本願は、２００２年４月２２日（パリ条約による優先権主張外国庁受理２００１年４月２６日、独国）を国際出願日とする出願であって、平成２０年１月２４日に誤訳訂正がなされ、同年２月８日付けで拒絶査定がなされ、これに対して、同年５月１９日に拒絶査定不服審判が請求されるとともに、同年６月１８日に手続補正がなされたものである。
　
第２　平成２０年６月１８日付け手続補正についての補正却下の決定
〔補正却下の決定の結論〕 
　平成２０年６月１８日付け手続補正を却下する。
　
〔理由〕
　１　本件補正の内容・目的
（１）補正の内容
　ア　平成２０年６月１８日付け手続補正（以下「本件補正」という。）は、特許請求の範囲についてするもので、特許請求の範囲の請求項１については、本件補正前に、
　
「多色印刷機内の枚葉紙案内胴のための被覆部材であって、前記枚葉紙案内胴は、円柱状ないし円筒状の本
体備
　以下の層構造：
　自身の下側が前記枚葉紙案内胴（３）の本体に設けられる可撓な支持材料（１２）；
　前記支持材料（１２）の上側にしっかり付着した状態で設けられ、
金属、前記金属の酸化物、前記金属のカーバイド、前記金属のシリサイド、これらの混合物、またはこれらの合金
　前記コーティング（１３）の上側にしっかり付着した状態で設けられ、ポリオルガノシロキサン、またはフッ素化アクリレート、またはフルオロポリマーから形成された密閉層（１４）；
を有していることを特徴とする被覆部材。」
とあったものを、
　
「多色印刷機内の枚葉紙案内胴のための被覆部材であって、前記枚葉紙案内胴は、円柱状ないし円筒状の本体
を
　以下の層構造：
　自身の下側が前記枚葉紙案内胴（３）の本体に設けられる可撓な支持材料（１２）；
　前記支持材料（１２）の上側にしっかり付着した状態で設けられ、
モリブデン、この混合物、またはこの合金
　前記コーティング（１３）の上側にしっかり付着した状態で設けられ、ポリオルガノシロキサン、またはフッ素化アクリレート、またはフルオロポリマーから形成された密閉層（１４）；
を有していることを特徴とする被覆部材。」
に補正するものである。（下線は審決で付した。以下同じ。） 
 　 
　イ　上記アの請求項１に係る本件補正は、以下の補正内容からなる。
（ア）本件補正前の請求項１の「前記枚葉紙案内胴は、円柱状ないし円筒状の本体備え、」における「本体備え」との誤記を、「本体を備え」と訂正する。
（イ）本件補正前の請求項１に係る発明を特定するために必要な事項である「金属、前記金属の酸化物、前記金属のカーバイド、前記金属のシリサイド、これらの混合物、またはこれらの合金」を、「モリブデン、この混合物、またはこの合金」と限定する。
　
（２）補正の目的
　上記（１）イのとおり、請求項１に係る本件補正は、全体として、本件補正前の請求項１に係る発明を特定するために必要な事項を限定して、本件補正後の請求項１とするものであるから、平成１４年法律第２４号改正附則第２条第１項によりなお従前の例によるとされる同法による改正前の特許法第１７条の２第４項第２号に掲げる特許請求の範囲の減縮を目的とするものである。
　そこで、本件補正後の請求項１に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下検討する。
　
　２　刊行物の記載事項
（１）原査定の拒絶の理由に引用された、本願の優先日前に頒布された刊行物である特開平８−１２１５１号公報（以下「引用例１」という。）には、図とともに次の事項が記載されている。
　
　ア　「【請求項８】  
印刷装置において、印刷要素に対して被印刷体を圧着し、その後移送する被印刷体圧着・移送系に配される被印刷体圧着・移送用ローラの実質的全周面にわたり着脱可能に巻装される被覆体であって、可撓性基板上に、表面に微細な凹凸を有する硬質ベース層と前記ベース層の表面上に前記凹凸を完全に消失させることなく形成された低表面エネルギー性樹脂層とからなる複合被覆皮膜が形成されていることを特徴とする被印刷体圧着・移送用ローラ用被覆体
【請求項９】  
前記低表面エネルギー性樹脂が、シリコーン系樹脂である請求項８に記載の被覆体
【請求項１０】  
脱脂、ブラスト処理された金属製板材からなる基板上に、ベース層としての多孔質セラミックス溶射層と前記セラミックス溶射層の表面上および孔部内に形成された低表面エネルギー性樹脂層とからなる複合被覆皮膜が形成されているものである請求項
９に記載の被覆体
・・（中略）・・
【請求項１７】  
ローラがオフセット印刷機用の圧胴
である請求項８〜１６のいずれかに記載の被覆体
　
　イ　「【００２３】即ち、本第２発明は、被印刷体圧着・移送用ローラの実質的全周面にわたり着脱可能に巻装される被覆体であって、可撓性基板上に、表面に微細な凹凸を有する硬質ベース層と前記ベース層の表面上に前記凹凸を完全に消失させることなく形成された低表面エネルギー性樹脂層とからなる複合被覆皮膜が形成されていることを特徴とする被印刷体圧着・移送用ローラ用被覆体である。
【００２４】この第２発明の被覆体において、前記低表面エネルギー性樹脂層としては、
シリコーン系樹脂
【００２５】なお、この被覆体には大きく分けて２つの態様が考えられる。その１つは、例えば
ローラがオフセット印刷機用の圧胴
　
　ウ　「【００３７】本発明の被印刷体圧着・移送用ローラを得るには、まず図３に示すように脱脂・ブラスト処理して粗面とした金属製ローラ基材１０表面上に、セラミックス溶射層１２を形成する。なお、この図に示す例においては、金属製ローラ基材１０表面上に金属溶射層１１が形成されその上にセラミック溶射層１２が形成されている。このようにして形成されたセラミックス溶射層１２表面は、図示するように非常にシャープな突起を形成する短周期的な凹凸（ピッチ波状凹凸）と、さらにより長周期的な凹凸（うねり状凹凸）とが複合して形成した粗面、代表的に好ましくは、Ｒmax ３０〜５０μｍ程度の粗面であり、かつセラミックス溶射層１２は多孔質、好ましくは０．１μｍ〜数十μｍの微細な気孔を気孔率５〜２０％で有するものである。
【００３８】ここで、このセラミックス溶射層１２の上部から、例えば
シリコーン系樹脂等の低表面エネルギー性樹脂を含浸コーティングして乾燥固化させ
・・（中略）・・
【００４２】なお、本発明においては、前記したように複合被覆皮膜を金属製ローラ基材表面上に直接形成することのみならず、例えば図４に示すように、ローラが、ローラ本体２０上に脱着可能に巻装される被覆体２１を有する構成とし、この被覆体２１の基材としての金属製板材２２上に前記したと同様な金属溶射層２３、およびセラミックス溶射層２３と低表面エネルギー性樹脂層２４とからなる複合被覆皮膜２５を形成するものとしても良く、この場合、前記と同様に優れた作用、効果が得られると共に、万一、その表面に何らかの不具合が生じた場合においても、ローラ本体２０を交換することなく被覆体２１のみを交換できるためにコスト的に有利である。なお、このように被覆体２１を形成する態様においては、そのローラ本体２１への装着時に曲げ応力が加わることを考慮すれば、複合被覆皮膜２５のローラ本体２０への密着性を高めるために、前記金属溶射層２３はできる限り形成することが望ましい。
【００４３】さらに、被覆体とした場合においては、上記したようなものとは別の態様が、適用されるローラの種類によってはより好ましい場合がある。すなわち、上記したような
本第２発明の第１の態様の被覆体を適用したローラ
本第２発明の第１態様の被覆体の場合
基材として金属製板材を用いるが、金属製板材は装着するローラの形状
　
　エ　「【００５３】次いで、この金属製ローラ基材表面または金属溶射層表面上に、例えば
プラズマジェット溶射法等の公知のセラミックス溶射法を用いることにより
セラミックス材料としては、Ａｌ
2
 Ｏ
3
 、ＴｉＯ
2
 、Ａｌ
2
 Ｏ
3
 −ＴｉＯ
2
 、Ｃｒ
2
 Ｏ
3
 、ＺｒＯ
2
 、ＷＣ、ＷＣ−Ｃｏ、Ｃｒ
3
 Ｃ
2
 、ＴｉＣ等あるいはこれらの混合物
　
　オ　「【００５７】このようにしてセラミックス溶射層が形成されたら、その上部から低表面エネルギー性樹脂を例えば、スプレー、ディッピング、ハケ塗り、ローラ塗布等の方法で含浸、コーティングし、所定の温度で乾燥固化させ、セラミックス溶射層の表面上および孔部内に低表面エネルギー性樹脂層を形成する。低表面エネルギー性樹脂としては、使用されるインキに対する濡れ性が低くかつインキ組成中等に使用される薬剤に対し安定な皮膜、望ましくは高硬度皮膜を形成できるものであれば特に限定されるものではないが、通常、
シリコーン系樹脂およびフッ素原子含有樹脂
【００５８】シリコーン系樹脂としては、施工後に、高分子化、三次元化してＳｉ−Ｏ−Ｓｉ結合と有機基、望ましくはメチル基および／またはフェニル基、より望ましくはメチル基を主体とする骨格構造を有し、安定な硬化皮膜を形成できるものであればよい。側鎖としてのメチル基が多くなるほど、インキに対する濡れ性は低いものとなるが、その硬度の向上面からはフェニル基、あるいはビニル基などの官能基に起因する架橋構造の含有割合を高めることが望まれる。
【００５９】なお施工時の形態は特に限定されるものではなく、例えば、オリゴマー、モノマー等の液状のもの、あるいは樹脂状のものを適当な溶媒に溶解した溶液状のものなど、例えば、シリコーンワニス、シリコーンゴム等に分類され市販される公知の各種の組成のものを適宜選択して使用することができるが、例えば、ワニス系シリコーン離型剤として市販されている組成物、ないしこれに類似する組成物が、施工性および得られる皮膜特性の面から好ましいものが多い。シリコーン離型剤としては、例えば、一般式（Ｉ）で示されるような構造を有するシリコーンポリマーないしコポリマーを主成分とするものが市販品として入手できる。
【００６０】
【化１】
【００６１】（但し、式中、Ｒはそれぞれ独立に水酸基、アルキル、アリール、アルケニル、ハロゲン置換アルキル、ハロゲン置換アリール、ハロゲン置換アルケニル、好ましくはメチル基を表し、ｎは１〜３００００である。）
しかしながら、もちろん使用されるシリコーン系樹脂組成物としては、このようなシリコーン離型剤に何ら限定されるものではない。
【００６２】またこのようなシリコーン系樹脂組成物中には、必要に応じて、皮膜硬度を高めるためのシリカ微粒子等の充填剤を配合することも可能であるが、セラミックス溶射層の空孔部および凹部に十分侵入し得る程度の粒径のものである必要がある。
【００６３】また
フッ素原子含有樹脂としては、ポリクロロトリフルオロエチレン、ポリフッ化ビニリデン、ポリフッ化ビニル等といった熱可塑性フッ素原子含有樹脂
熱硬化性フッ素原子含有樹脂
フルオロエチレンとアクリル酸、メタアクリル酸との共重合体
【００６４】形成される低表面エネルギー性樹脂層のセラミックス溶射層表面上における厚さは、前記したようにセラミックス溶射層のピッチ波状凹部には厚く一方ピッチ波状凸部には薄く付着するため、平均膜厚として規定することは困難である。しかしながら、溶射層の表面を実質的に全面的に覆い、かつセラミックス溶射層のうねり状凹凸を維持したものとなるように、全体を通じて０．５〜２０μｍ程度の厚さにおいて付着することが望ましい。」
　
　カ　「【００８７】印刷試験１
　上記参考例１および実施例１において作成した圧胴を、オフセット印刷機（（株）小森コーポレーション製、菊全両面機）に取付け、紅インキ（東洋インキ（株）製、ハイプラス）を使用して、
コート紙３万枚に対し、両面印刷
・・（中略）・・
【００９４】印刷試験２
　上記参考例２および実施例２において作成したガイドローラを、それぞれフォーム輪転機（（株）ミヤコシ製、ＭＶＦ１８）に取付け、
墨、藍、紅、黄のプロセスインキでカラー絵柄の印刷
　
　キ　図１及び２から、
多孔質セラミックス溶射層１２の表面の凹凸は、不規則なものである
　
　ク　上記アないしオ及びキからみて、引用例１には、次の発明（以下「引用発明」という。）が記載されていると認められる。
　
「オフセット印刷機用の圧胴の実質的全周面にわたり着脱可能に巻装される被覆体であって、
　可撓性基板と、
　該可撓性基板上に形成された、表面に微細かつ不規則な凹凸を有するＡｌ2 Ｏ3 、ＴｉＯ2 、Ａｌ2 Ｏ3 −ＴｉＯ2 、Ｃｒ2 Ｏ3 、ＺｒＯ2 、ＷＣ、ＷＣ−Ｃｏ、Ｃｒ3 Ｃ2 、ＴｉＣあるいはこれらの混合物である多孔質セラミックス溶射層と、
　該多孔質セラミックス溶射層の表面上および孔部内に前記凹凸を完全に消失させることなく形成された、シリコーン系樹脂、フルオロエチレンとアクリル酸、メタアクリル酸との共重合体といった熱硬化性フッ素原子含有樹脂、又は、ポリクロロトリフルオロエチレン、ポリフッ化ビニリデン、ポリフッ化ビニルといった熱可塑性フッ素原子含有樹脂である低表面エネルギー性樹脂層と
からなる圧胴用被覆体。」
　
（２）原査定の拒絶の理由に引用された、本願の優先日前に頒布された刊行物である特開２０００−１４４０５３号公報（以下「引用例２」という。）には、次の事項が記載されている。
　
　ア　「【０００６】撥インク性表面は、印刷機内の印刷された紙を輸送するためだけでなく、TORAYプロセスとしても知られる無水オフセット印刷の場合にも、シリコーンフィルムの形態の、印刷プレート上の湿潤化溶液の膜(Feuchtmittelfilms)の膜を置換するためにも必要である。シリコーンという用語は、シリコン原子が酸素原子を介して直鎖状及び／または網状に架橋し、シリコンの残りの原子価が炭化水素基（通常はメチル基）によって飽和されたた合成高分子化合物の実体的な群を意味する。
シリコーンの他の名称はポリオルガノシロキサン
　
　イ　「【０００８】
【発明が解決しようとする課題】本発明は、特に
印刷機部材の低摩耗性コーティングのために、永久的な撥インク性表面性能を与え
【０００９】
【課題を解決するための手段及び発明の実施の形態】本発明が基づく目的は、金属酸化物または
低摩耗性(verscheisarmen)硬金属
第１の工程において、抗摩耗保護する酸化物セラミックまたは硬金属の層を適用し、第２の工程において、ポリオルガノシロキサン型、特にポリハイドロジェンメチルシロキサンのシーラントを用いて、強い撥インク性を与える熱硬化を含むシーリングを実施することを特徴とする印刷機用部材のコーティング方法
Ａｌ
2
Ｏ
3
、Ｃｒ
2
Ｏ
3
、ＴｉＯ
2
、ＳｉＯ
2
、またはＺｒＯ
2
、あるいはこれらの混合物
ＷＣ／Ｃｏ、Ｃｒ
3
Ｃ
2
／ＮｉＣｒ、ＮｉＣｒＢＳｉ、ＷＣ／Ｎｉ、モリブデン
溶射プロセス
大気圧プラズマ溶射及び高速フレーム溶射
　
　３　対比 
　本願補正発明と引用発明とを対比する。 
（１）引用発明の「オフセット印刷機」、「圧胴」、「被覆体」、「可撓性基板」、「多孔質セラミックス溶射層」及び「『多孔質セラミックス溶射層の表面上および孔部内』に形成された『低表面エネルギー性樹脂層』」は、それぞれ、本願補正発明の「印刷機」、「紙案内胴」、「被覆部材」、「可撓な支持材料」、「コーティング」及び「密閉層」に相当する。
　
（２）引用発明の「被覆部材（被覆体）」は、「印刷機（オフセット印刷機）」用の「紙案内胴（圧胴）」の実質的全周面に巻装されるものであるから、引用発明の「被覆部材」と本願補正発明の「多色印刷機内の枚葉紙案内胴のための被覆部材」とは、「印刷機内の紙案内胴のための」ものである点で一致する。
　
（３）引用発明において、圧胴の本体が円柱状又は円筒状をなし、かつ、この本体に「被覆部材（被覆体）」が着脱可能に巻装されることは、当業者に自明であるから、引用発明の「紙案内胴（圧胴）」と本願補正発明の「紙案内胴」とは、「円柱状ないし円筒状の本体を備え」る点で一致するとともに、引用発明の「本体」と本願補正発明の「『少なくとも一つの枚葉紙保持機構が該本体上に設けられてなるとともに、該被覆部材が少なくとも一つ着脱自在に備えられるように構成され』ている『本体』」とは、「被覆部材が少なくとも一つ着脱自在に備えられるように構成されている」点で一致する。
　
（４）引用発明の「可撓な支持材料（可撓性基板）」は、「紙案内胴（圧胴）」の本体に巻装される「被覆部材（被覆体）」の最下層であるから、引用発明の「可撓な支持材料」と本願補正発明の「自身の下側が枚葉紙案内胴の本体に設けられる可撓な支持材料」とは、「自身の下側が紙案内胴の本体に設けられる」ものである点で一致する。
　
（５）引用発明の「コーティング（多孔質セラミックス溶射層）」は、「可撓な支持材料（可撓性基板）」上に形成された、表面に微細かつ不規則な凹凸を有するＡｌ2 Ｏ3 、ＴｉＯ2 、Ａｌ2 Ｏ3 −ＴｉＯ2 、Ｃｒ2 Ｏ3 、ＺｒＯ2 、ＷＣ、ＷＣ−Ｃｏ、Ｃｒ3 Ｃ2 、ＴｉＣあるいはこれらの混合物であるところ、「可撓な支持材料」と「コーティング」とが十分な強度で接合されていることは当業者に自明であるから、引用発明の「コーティング」と本願補正発明の「支持材料の上側にしっかり付着した状態で設けられ、モリブデン、この混合物、またはこの合金から形成された、不規則な表面形状を有するコーティング」とは、「支持材料の上側にしっかり付着した状態で設けられた、不規則な表面形状を有する」ものである点で一致する。
　
（６）引用発明の「密閉層（低表面エネルギー性樹脂層）」は、「コーティング（多孔質セラミックス溶射層）」の表面上および孔部内に形成された、シリコーン系樹脂、フルオロエチレンとアクリル酸、メタアクリル酸との共重合体といった熱硬化性フッ素原子含有樹脂、又は、ポリクロロトリフルオロエチレン、ポリフッ化ビニリデン、ポリフッ化ビニルといった熱可塑性フッ素原子含有樹脂であるところ、
　ア　上記「コーティング」と「密閉層」とが十分な強度で接合されていることは当業者に自明であり、
　イ　シリコーンは、ポリオルガノシロキサンともいえるものであり（上記２（２）ア【０００６】の「シリコーンという用語は、シリコン原子が酸素原子を介して直鎖状及び／または網状に架橋し、シリコンの残りの原子価が炭化水素基（通常はメチル基）によって飽和されたた合成高分子化合物の実体的な群を意味する。
シリコーンの他の名称はポリオルガノシロキサン
　ウ　引用発明の「フルオロエチレンとアクリル酸、メタアクリル酸との共重合体といった熱硬化性フッ素原子含有樹脂」及び「ポリクロロトリフルオロエチレン、ポリフッ化ビニリデン、ポリフッ化ビニルといった熱可塑性フッ素原子含有樹脂」は、それぞれ、「フッ素化アクリレート」及び「フルオロポリマー」ともいえることが当業者に自明である、
から、引用発明の「密閉層」と本願補正発明の「密閉層」とは、「コーティングの上側にしっかり付着した状態で設けられ、ポリオルガノシロキサン、またはフッ素化アクリレート、またはフルオロポリマーから形成された」ものである点で一致するといえる。
　
（７）上記（１）ないし（６）から、本願補正発明と引用発明とは、 
「印刷機内の紙案内胴のための被覆部材であって、前記紙案内胴は、円柱状ないし円筒状の本体を備え、前記本体は、該被覆部材が少なくとも一つ着脱自在に備えられるように構成されているときの該被覆部材において、
　以下の層構造：
　自身の下側が前記紙案内胴の本体に設けられる可撓な支持材料；
　前記支持材料の上側にしっかり付着した状態で設けられた、不規則な表面形状を有するコーティング；
　前記コーティングの上側にしっかり付着した状態で設けられ、ポリオルガノシロキサン、またはフッ素化アクリレート、またはフルオロポリマーから形成された密閉層；
を有している被覆部材。」
である点で一致し、次の点で相違する。
　
相違点１：
　本願補正発明では、前記印刷機が「多色印刷機」であり、かつ、前記紙案内胴が、その本体上に「少なくとも一つの枚葉紙保持機構」が設けられた「枚葉紙案内胴」であるのに対して、
　引用発明では、前記印刷機及び前記紙案内胴が、いずれもそのようなものであるのか明らかでない点。
　
相違点２：
　前記コーティングの材料が、本願補正発明では、「モリブデン、この混合物、またはこの合金」であるのに対して、引用発明では、「Ａｌ2 Ｏ3 、ＴｉＯ2 、Ａｌ2 Ｏ3 −ＴｉＯ2 、Ｃｒ2 Ｏ3 、ＺｒＯ2 、ＷＣ、ＷＣ−Ｃｏ、Ｃｒ3 Ｃ2 、ＴｉＣあるいはこれらの混合物」である点。
　
　４　判断
　上記相違点１及び２について検討する。 
（１）相違点１について 
　ア　引用例１には、「【００８７】印刷試験１
　上記参考例１および実施例１において作成した圧胴を、オフセット印刷機（（株）小森コーポレーション製、菊全両面機）に取付け、紅インキ（東洋インキ（株）製、ハイプラス）を使用して、
コート紙３万枚に対し、両面印刷
　上記参考例２および実施例２において作成したガイドローラを、それぞれフォーム輪転機（（株）ミヤコシ製、ＭＶＦ１８）に取付け、
墨、藍、紅、黄のプロセスインキでカラー絵柄の印刷
　イ　くわえ爪等の枚葉紙保持機構を設けた枚葉紙案内胴は、本願の優先日前に周知である（以下「周知技術」という。例．特開平１１−２２１９０５号公報特に「【図面の簡単な説明】
【図１】上流側に配置された
枚葉紙案内胴
枚葉紙案内胴
【図２】ａ〜ｄは、本発明の装置の第１の構成形態における印刷された枚葉紙の後縁部の渡しの種々異なる段階の概略図である。
【図３】ａ〜ｃは、下流側に配置された
枚葉紙案内胴
【符号の説明】
１  本発明の装置、  ２  枚葉紙後縁部、  
４
枚葉紙案内胴
８
枚葉紙案内胴
枚葉紙案内胴
枚葉紙案内胴
２８ａ  くわえ爪装置１４の枚葉紙保持面
２８ｂ  枚葉紙保持面
 ４２  別のくわえ爪装置
 ４４ａ  別のくわえ爪装置の屈折した枚葉紙保持面
４４ｂ  別のくわえ爪装置の屈折した枚葉紙保持面
１１４  トンググリッパ装置
１２８ａ  図３に示すくわえ爪装置の枚葉紙保持面
１２８ｂ  図３に示すくわえ爪装置の枚葉紙保持面
【図１】
【図２】
【図３】
」並びに特開２０００−４３２４０号公報特に「【図面の簡単な説明】【図１】前置された枚葉紙案内胴上で案内された枚葉紙の後端部を引き渡すための本発明による装置を有する、反転装置の前置された枚葉紙案内胴と後置された枚葉紙案内胴装置とを示す概略図である。
【符号の説明】
１  反転装置、  ２  後端部、  
４  胴
８  胴
３３  枚葉紙保持面
３４  枚葉紙保持面
【図１】
」参照。）。
　ウ　上記ア及びイから、引用発明において、圧胴にくわえ爪等の枚葉紙保持機構を設け、オフセット印刷機を多色の枚葉紙印刷機とし、上記相違点１に係る本願補正発明の構成となすことは、当業者が、引用例１に記載された事項及び周知技術に基づいて容易になし得たことである。
　
（２）相違点２について 　 
　ア　引用例２には、「印刷機用部材のコーティング方法において、第１の工程において、
Ａｌ
2
Ｏ
3
、Ｃｒ
2
Ｏ
3
、ＴｉＯ
2
、ＳｉＯ
2
、またはＺｒＯ
2
、あるいはこれらの混合物の
ＷＣ／Ｃｏ、Ｃｒ
3
Ｃ
2
／ＮｉＣｒ、ＮｉＣｒＢＳｉ、ＷＣ／Ｎｉ、モリブデンの
大気圧プラズマ溶射、高速フレーム溶射等の溶射プロセスによって
　イ　上記アから、引用発明において、低表面エネルギー性樹脂層の性能を永久的なものとするために、その下地である多孔質セラミックス溶射層の材料として、Ａｌ2 Ｏ3 、ＴｉＯ2 、Ａｌ2 Ｏ3 −ＴｉＯ2 、Ｃｒ2 Ｏ3 、ＺｒＯ2 、ＷＣ、ＷＣ−Ｃｏ、Ｃｒ3 Ｃ2 、ＴｉＣあるいはこれらの混合物に代えて、モリブデン、その混合物又はその合金を用い、上記相違点２に係る本願補正発明の構成となすことは、当業者が引用例２に記載された事項に基づいて容易になし得たことである。
　
（３）効果について 
　本願補正発明の奏する効果は、当業者が、引用発明の奏する効果、引用例１に記載された事項、引用例２に記載された事項及び周知技術の奏する効果から予測できた程度のものである。
　
（４）まとめ
　したがって、本願補正発明は、当業者が、引用例１に記載された発明、引用例１に記載された事項、引用例２に記載された事項及び周知技術に基づいて容易に発明をすることができたものである。
　よって、本願補正発明は、特許法第２９条第２項の規定により特許出願の際独立して特許を受けることができないものである。
　
　５　小括
　上記４のとおり、本願補正発明は、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について 
　１　本願発明 
　平成２０年６月１８日付け手続補正は上記のとおり却下されたので、本願の請求項１ないし７に係る発明は、平成２０年１月２４日付け誤訳訂正によって訂正された明細書及び図面の記載からみて、その特許請求の範囲の請求項１ないし７に記載された事項によってそれぞれ特定されるとおりのものであると認められるところ、請求項１に係る発明（以下「本願発明」という。）は、上記第２〔理由〕１（１）アで、本件補正前の請求項１として記載したものである。
　
　２　引用例 
　原査定の拒絶の理由に引用された引用例及びその記載事項は、前記第２〔理由〕２に記載したとおりである。
　
　３　対比・判断
　本願発明は、本願補正発明において、その発明特定事項である「モリブデン、この混合物、またはこの合金」を「金属、前記金属の酸化物、前記金属のカーバイド、前記金属のシリサイド、これらの混合物、またはこれらの合金」に拡張したものに相当する（上記第２〔理由〕１（２）参照。）。 
　そうすると、本願発明の構成要件をすべて含み、さらに限定を付加したものに相当する本願補正発明が、前記第２〔理由〕４に記載したとおり、当業者が、引用例１に記載された発明、引用例１に記載された事項、引用例２に記載された事項及び周知技術に基づいて容易に発明をすることができたものであるから、本願発明も同様の理由により、当業者が、引用例１に記載された発明、引用例１に記載された事項、引用例２に記載された事項及び周知技術に基づいて容易に発明をすることができたものである。
　
　４　むすび  
　以上のとおり、本願発明は、当業者が、引用例１に記載された発明、引用例１に記載された事項、引用例２に記載された事項及び周知技術に基づいて容易に発明をすることができたものであるから、特許法第２９条第２項の規定により特許を受けることができない。
　したがって、本願のその余の請求項に係る発明について検討するまでもなく、本願は拒絶を免れない。
　よって、結論のとおり審決する。